(57)【要約】【課題】栽培知識を持たない者であっても、太陽光発電を用いた事業を行いながら、植物工場を運営して、高付加価値栽培を行って、事業有益ができる、区分所有方式の植物工場を提供する。【解決手段】太陽光発電所兼用型植物工場１は、工場の屋根１ａに複数の太陽光パネル１０が設置されかつその屋内に複数の栽培棚２０が設けられており、太陽光パネル１０、栽培棚２０はいずれも複数のオーナーに区分所有されており、オーナーの通信端末３２を識別して、該オーナーが区分所有している太陽光パネル１０の発電状態、及び該オーナーが区分所有している栽培棚２０における植物の成長状態を通知するサーバ装置３０を備える。【選択図】図１
2018191594.tif 000002
【特許請求の範囲】
【請求項１】
工場の屋根に複数の太陽光パネルが設置されかつその屋内に複数の栽培棚が設けられた太陽光発電所兼用型植物工場において、
前記太陽光パネル、前記栽培棚はいずれも複数のオーナーに区分所有されており、
前記オーナーの通信端末を識別して、該オーナーが区分所有している太陽光パネルの発電状態、及び該オーナーが区分所有している栽培棚に保たれた植物の成長状態を監視できるようにしたサーバ装置を備えていることを特徴とする太陽光発電所兼用型植物工場。
【請求項２】
前記栽培棚は、該棚に保たれた植物に対して照明、補水を含む栽培制御を行う環境装置が付設されており、
前記サーバ装置は、植物の種別毎の栽培制御データが予め登録されており、前記オーナーの通信端末によって栽培制御データの選択操作がなされると、前記環境装置を設定して、該オーナーに区分所有された領域に対して、選択された栽培制御データを適用させることを特徴とする請求項１に記載の太陽光発電所兼用型植物工場。
【請求項３】
前記栽培制御データは、栽培すべき植物の種別と、成果物の特徴とを、組み合わせて選択できるようにしている請求項１又は２に記載の太陽光発電所兼用型植物工場。
【請求項４】
前記栽培棚で栽培されるべき植物を予め育成準備するための屋外施設が付設されていることを特徴とする請求項１から３のいずれか１項に記載の太陽光発電所兼用型植物工場。
【発明の詳細な説明】
【技術分野】
【０００１】
本発明は、複数の太陽光パネルからなる太陽光発電所と、屋内の人工的な環境で各種植物を栽培する植物工場とを兼用するようにした事業収益設備に関する。
【背景技術】
【０００２】
太陽光パネルを備えた植物栽培システムの先行技術として、次の特許文献には、土耕栽培施設の上方に、透光性を有する太陽光パネルをフレームによって支持した構成のシステムが開示されている。
【先行技術文献】
【特許文献】
【０００３】
【特許文献１】特開２０１７−０２９１２０号公報
【発明の概要】
【発明が解決しようとする課題】
【０００４】
ところで前記のような太陽光発電所と植物工場とを兼用するようにした施設の運営形態の一つとして、この施設を複数のオーナーによって区分所有させて収益金を分配するような運用形態が考えられる。しかしながらそのような運営形態にした場合、オーナーの一人ひとりが発電所の発電状態、植物の成長状態を確認するのは難しいという問題が生じる。
これに対して本発明は、何らの栽培知識を持たないオーナーであっても、太陽光発電を用いた事業を行いながら、植物工場で高付加価値栽培を行って、事業有益ができる、区分所有運営方式の植物工場を提供することを目的としている。
【課題を解決するための手段】
【０００５】
本発明は、工場の屋根に複数の太陽光パネルが設置されかつその屋内に複数の栽培棚が設けられた太陽光発電所兼用型植物工場において、前記太陽光パネル、前記栽培棚はいずれも複数のオーナーに区分所有されており、前記オーナーの通信端末を識別して、該オーナーが区分所有している太陽光パネルの発電状態、及び該オーナーが区分所有している栽培棚における植物の成長状態を監視するサーバ装置を備えていることを特徴とする。
【０００６】
前記栽培棚は、該棚に保たれた植物に対して照明、補水を含む栽培制御を行う環境装置が付設されており、前記サーバ装置は、植物の種別毎の栽培制御データが予め登録されており、前記オーナーの通信端末によって栽培制御データの選択操作がなされると、前記環境装置を設定して、該オーナーに区分所有された領域に対して、選択された栽培制御データを適用させてもよい。
【発明の効果】
【０００７】
本発明の植物工場は、オーナーは通信端末によってウェブサーバ装置をアクセスするだけで、区分所有している太陽光パネルの発電状態、及び該オーナーが区分所有している栽培棚における植物の成長状態を確認できる。
またウェブサーバ装置に予め登録されている栽培制御データを利用することで、所望の種別の植物を高付加価値栽培できる。
したがって、栽培知識を持たないオーナーであっても、太陽光発電を用いた事業を行いながら、植物工場を運営して高付加価値栽培を行うことで、リスクのない事業有益が可能となる。
また、このような本発明の植物工場は、分譲用の事業収益設備とすることが可能であり、開発業者や不動産業者にとっても、分譲業者（工場管理業者）等に植物工場を一棟売りする等の新たなビジネスモデルが構築できる。
【図面の簡単な説明】
【０００８】
【図１】太陽光発電所兼用型植物工場のブロック図である。
【図２】太陽光発電所兼用型植物工場の部分破断斜視図である。
【図３】栽培棚の模式図である。
【図４】太陽光パネルの売電収益、植物の販売収益から得られる配当金利回りの予測グラフである。
【図５】ウェブサーバ装置が通信端末に表示させるホームページ画面の一例である。
【図６】ウェブサーバ装置が通信端末に表示させるホームページ画面の他例である。
【図７】（ａ）、（ｂ）はいずれもウェブサーバ装置が通信端末に表示させるホームページ画面の他例である。
【発明を実施するための形態】
【０００９】
図１は、太陽光発電所兼用型植物工場のブロック図、図２はその工場の部分破断斜視図、図３は栽培棚の模式図である。植物としては、果菜類、葉菜類、根菜類等の比較的短期間で収穫できる野菜を想定しているが、これに限定されない。
【００１０】
工場１は、遮光性、断熱性、気密性を呈する壁面及び屋根１ａからなる建屋であるが、その階数に制限はない。工場１の屋根１ａには複数の太陽光パネル１０が設置され、屋内１ｂに複数の栽培棚２０が設けられている。また工場１にはパワーコンディショナー１１やキュービクル１２を収容した発電設備１３が付設されている。このように工場１の屋根１ａに太陽光パネル１０を設置することで、敷地を効率的に活用できる。
なお工場１には、栽培棚２０で栽培されるべき植物を予め育成準備するための屋外施設、例えばビニールハウスが付設されていてもよい（図示なし）。そうして栽培の最終段階のみ工場１を用いるようにすれば効率よく植物を栽培できる。
【００１１】
本発明では、前記の太陽光パネル１０、栽培棚２０は複数のオーナーに区分所有されている。区分所有の様式は特に制限されないが、各オーナーが、自身の区分所有している太陽光パネル１０による売電収益、栽培棚２０で栽培された植物の販売収益から配当が得られればよい。工場１の運営は、オーナー組合と契約した管理会社等が行うとよい。また栽培棚２０で栽培する植物はオーナーが自由に選択できるとよい。また栽培された植物はオーナー自身が収穫し持ち帰っても良い。
【００１２】
図４は、オーナーが区分所有している太陽光パネルの売電収益、植物の販売収益から得られる配当金利回りの予測グラフである。太陽光パネルの売電収益は基本的に一定であるが、植物の販売収益は、植物の品種の最適化、栽培条件の最適化等によって年ごとに向上していくと予想される。このような予想が成り立つことから、太陽光パネル１０、栽培棚２０を区分所有するオーナーの募集は容易に行える。
【００１３】
太陽光パネル１０は、接続箱１４、集電箱１５、パワーコンディショナー１１、キュービクル１２等と共に太陽光発電所を構成している。このような太陽光発電所の構成は周知である。ここで発電された電力は売電することを想定しているが、その電力の一部はバッテリー１６に蓄電して、植物への照明、補水を行う環境装置２１の電源としても利用可能にするとよい。
【００１４】
栽培棚２０は、各棚に植物容器２２が載置されている。栽培棚２０の段数は栽培すべき植物の種別に応じてオーナーが自由に変更できる。
【００１５】
環境装置２１は、照明装置２３、補水装置２４、噴霧装置２５、温度調節装置２６等からなり、図示しない制御装置によって制御される。環境装置２１は、複数のオーナーに区分所有された植物棚２０の領域毎に、照明、補水、噴霧、温度等を個別制御できるとよい。この個別制御は、照明、補水、噴霧、温度の内の一部であっても全部であってもよい。また環境装置２１は、空気中の二酸化炭素濃度を調節する二酸化炭素供給装置を更に備えてもよい。そうすることで植物の成長速度等の調節が可能になる。また植物容器２２に保たれた植物を撮影するためのカメラ２８も備えるとよい。そうすれば撮影映像によって植物の成長状態が確認できる。また補水装置２４が補水する水に含ませる液肥の種別、濃度を自由に調節できるようにしてもよい。
【００１６】
照明装置２３は、Ｒ、Ｇ、ＢのＬＥＤユニットを組み合わせたものであって、Ｒ、Ｇ、Ｂの色毎にＰＷＭ等による照度調節が可能になっている。補水装置２４は、予め養分を含ませた水等を植物容器２２に直接放出するようになっている。そのとき余分な水分は植物容器２２から排水路２７に排出される。噴霧装置２５は、ノズルから水等のミストを植物に吹きかけるようになっている。温度調節装置２６は、温風又は冷風を吹出すことによって植物容器２２近傍の気温を調節する。
【００１７】
前記のような環境装置２１を備えた工場１では、植物を高付加価値栽培できる。すなわち植物は完全に人工的な無菌状態の環境下で栽培され栽培制御データに基づく特別な栽培条件によって味覚、食感等を自在に調節できる。また高血圧、糖尿病等の疾患に対する効能を付与することも可能である。このような高付加価値栽培では、照明装置２３におけるＲ、Ｇ、Ｂの色毎の照度調節は大変効果的であると云われている。また農薬が使用されず汚れも付着しないから、収穫された植物は有機野菜となって、調理前の洗浄を必要としない。
【００１８】
ウェブサーバ装置３０は、インターネット等のネットワーク３１に接続されており、オーナーの通信端末３２と通信して所定のホームページを表示させる。通信端末３２としてはスマートフォン、タブレット、パーソナルコンピュータ等を想定している。ウェブサーバ装置３０は基本動作として、オーナーの通信端末３２を識別して、そのオーナーが区分所有している太陽光パネル１０の発電状態、及び該オーナーが区分所有している栽培棚２０での植物の成長状態をホームページによって通知する。
【００１９】
またウェブサーバ装置３０は、植物の種別毎の栽培制御データが予め登録されており、オーナーの通信端末３２によって栽培制御データの選択操作がなされると、環境装置２１を設定して、該オーナーに区分所有された領域に対して、選択された栽培制御データを適用させるとよい。これにより野菜の栽培知識を持たないオーナーでも、所望の種別の植物を選択して高付加価値栽培することが可能になる。またウェブサーバ装置３０は、通信端末３２の編集操作によって所望の栽培制御データを自在に編集できてもよい。そうすれば、オーナーによるオリジナルな高付加価値栽培を試行できる。
栽培制御データは、日進月歩で進化するので、オーナーは、年を経るごとに、自己の設備を用いて、より付加価値の高い高収益な野菜を栽培することが期待できる。また、温度、湿度、照明等の栽培制御データを適切に制御すれば、各種植物の最適な条件が確保できるだけでなく、海外と同じ環境条件を構築して、国内では栽培できない付加価値の高い外国産の植物なども栽培することもできる。
【００２０】
図５は、ウェブサーバ装置がオーナーの通信端末に表示させるホームページ画面の一例である。
この画面Ｇ１は、オーナーが区分所有している太陽光パネル１０の発電状態、及び該オーナーが区分所有している栽培棚２０における植物の成長状態をグラフ表示するものである。ウェブサーバ装置３０は、オーナー毎に太陽光パネル１０の識別情報、栽培棚２０の識別情報等が登録されており、それらの情報に基づいてパワーコンディショナー、環境装置等と通信することによって画面Ｇ１を生成する。なお植物の成長状態として、カメラ２８の撮影映像を表示してもよい。
【００２１】
図６は、ウェブサーバ装置がオーナーの通信端末に表示させるホームページ画面の他例である。
この画面Ｇ２は、予め登録されている植物の種別毎の栽培制御データの内から、オーナーが区分所有している栽培棚２０の領域に対して設定される栽培制御データを選択させるものである。選択ボタンの操作によって所望の栽培制御データを選択できる。
例えば栽培制御データＤＤＤ１は、ホウレン草Ａに対するものであり、苦味強めを特徴としている。ホウレン草Ａに対してこの栽培制御データを適用すれば、苦味強めのものが収穫できる。栽培制御データＤＤＤ２、ＤＤＤ３についても同様である。
なお詳細ボタンの操作によって栽培制御データの詳細を表示する画面（後述）を呼び出すこともできる。
【００２２】
図７（ａ）、（ｂ）は、ウェブサーバ装置がオーナーの通信端末に表示させるホームページ画面の他例である。
画面Ｇ３は、栽培制御データの詳細を表示するものである。具体的には、照明の点灯時間帯及びＲ、Ｇ、Ｂの各照度設定値、補水の時間帯、噴霧の時間帯、温度設定値及び時間帯等が表示されている。
画面Ｇ４は、画面Ｇ３で表示された栽培制御データを編集している様子を示すものである。例えば照明については、矢印アイコンＡの操作によって点灯時間帯等を自在に変更できる。また数値部に所望の数値を入力する等の操作によってＲ、Ｇ、Ｂの照度設定値も自在に変更できる。補水の時間帯、噴霧の時間帯、温度設定値及び時間帯についても同様である。変更したあとの栽培制御データは、上書き保存あるいは名前を付けて保存が可能である。
【００２３】
以上のような本発明によれば、太陽光発電所兼用植物工場は、分譲業者（工場管理業者）にとって、従来のマンション、ビルなどと同じように、分譲用の収益設備として扱うことができる。
また、オーナー（区分所有者）は、何ら栽培知識がなくても、太陽光発電による売電収入を得ながら、最新の植物工場を用いた野菜の高付加価値栽培を行うことで、高い収益を得ることができ、新たな収益手段になり得る。
【符号の説明】
【００２４】
１            太陽光発電所兼用型植物工場
１ａ          屋根
１ｂ          室内
１０          太陽光パネル
２０          栽培棚
２１          環境装置
３０          サーバ装置
３２          通信端末
【図１】
2018191594.tif 000003
【図２】
2018191594.tif 000004
【図３】
2018191594.tif 000005
【図４】
2018191594.tif 000006
【図５】
2018191594.tif 000007
【図６】
2018191594.tif 000008
【図７】
2018191594.tif 000009